(57)【特許請求の範囲】
【請求項１】
プリント基板が取り付けられる下ケースと、この下ケースの蓋である上ケースと、コンデンサー等の大型電子部品を保持する電子部品収納部を有するホルダーと、前記ホルダーに設けられ前記プリント基板を跨いで前記下ケース上に立設される支持脚と、前記ホルダーに設けられ前記ホルダーを前記下ケースに固定するネジ取付部と、を有することを特徴とする大型電子部品収納ボックス。
【請求項２】
前記ホルダーの前記ネジ取付部は、前記プリント基板と共に前記下ケースに少なくとも１つのネジで共締めすることにより固定されることを特徴とする請求項１記載の大型電子部品収納ボックス。
【請求項３】
前記ホルダーは、前記大型電子部品のリード線を固定するハーネス固定部を有することを特徴とする請求項１または２記載の大型電子部品収納ボックス。
【請求項４】
前記下ケースと上ケースの全体を覆う延焼防止用のカバーを有することを特徴とする請求項１〜３のいずれかに記載の大型電子部品収納ボックス。
【請求項５】
前記大型電子部品に別基板が取り付けられる場合は、前記ホルダーは当該大型電子部品を収納する構成であることを特徴とする請求項１〜４のいずれかに記載の大型電子部品収納ボックス。
【請求項６】
前記ホルダーは、前記大型電子部品または前記別基板を弾性的に係止する爪を有することを特徴とする請求項５記載の大型電子部品収納ボックス。
【請求項７】
前記上ケースは、前記下ケースの外側に被さるように嵌合されることを特徴とする請求
項１〜６のいずれかに記載の大型電子部品収納ボックス。
【請求項８】
前記上ケースの凸部内に前記大型電子部品の保持部が設けられていることを特徴とする請求項１記載の大型電子部品収納ボックス。
【請求項９】
前記下ケースの底部に前記大型電子部品の保持部となる凹部が設けられていることを特徴とする請求項１記載の大型電子部品収納ボックス。
【請求項１０】
家電製品の低い位置に設置されていることを特徴とする請求項１〜９のいずれかに記載の大型電子部品収納ボックス。
【請求項１１】
請求項１〜１０のいずれかに記載の大型電子部品収納ボックスを備えたことを特徴とする家電製品。
【発明の詳細な説明】
【技術分野】
【０００１】
本発明は、コンデンサー等の大型電子部品の収納ボックス及びこの収納ボックスを備えた家電製品に関する。
【背景技術】
【０００２】
従来、例えば除湿器において、ファンモーター駆動用のコンデンサー等のような大型電子部品は直接基板に設置するか、または、基板脇などに設けられたスペース部分に取り付ける構造であった。また、洗濯機に使用される電源基板の場合においても、ファンモーター駆動用のコンデンサーを電源基板に直接取り付けるユニットケースが開示されている（例えば、特許文献１参照）。
【先行技術文献】
【特許文献】
【０００３】
【特許文献１】特開２００８−２７２１９６号公報
【発明の概要】
【発明が解決しようとする課題】
【０００４】
しかしながら、従来の大型電子部品収納ボックスの構造では、以下に示すような課題があった。
（１）ファンモーター駆動用のコンデンサー等の重量の重い大型電子部品を直接基板に搭載する構造では、製品に取り付ける際などに取り落としたり倒したりすることがあり、そのため落下や転倒等による衝撃によって、基板や半田付部等に損傷が生じるおそれがある。
（２）大型電子部品の取付部を基板脇に設けた場合にはその分、ボックスのスペースが大きくなる。そのため、省スペース化に反する上に、延焼防止として板金部品を使用する場合には、部品点数が多くなり、また被覆面積も増加するため、材料費、管理費等のコストが増加する。
（３）ボックスのスペースが大きくなると、基板とコンデンサー等を接続するケーブルハーネスを長くとる必要が生じる。
（４）また最近では、除湿機等の家電製品はますますコンパクト化の要求が強くなっており、そのような家電製品に設置される大型電子部品収納ボックスについても基板を小さくするなどのコンパクト化の要請に応える必要がある。
【０００５】
本発明は、上記のような課題に鑑み、コンデンサー等の大型電子部品を直接基板に設置することのない、コンパクトで省スペースを実現する、大型電子部品収納ボックス及びこれを備えた家電製品を提供することを目的とする。
【課題を解決するための手段】
【０００６】
本発明に係る大型電子部品収納ボックスは、プリント基板が取り付けられる下ケースと、この下ケースの蓋である上ケースと、コンデンサー等の大型電子部品を保持する電子部品収納部を有するホルダーと、前記ホルダーに設けられ前記プリント基板を跨いで前記下ケース上に立設される支持脚と、前記ホルダーに設けられ前記ホルダーを前記下ケースに固定するネジ取付部と、を有することを特徴とするものである。
【発明の効果】
【０００７】
このように構成することにより、コンデンサー等の大型電子部品の重量負荷がプリント基板に作用しないので、落下や転倒時の衝撃が加わった場合でもプリント基板や半田付け部の損傷を抑制することできる。また、コンデンサー等の大型電子部品はプリント基板を跨いで下ケース上に支持される支持脚を有するホルダーにより保持されるので、プリント基板を可能な限り小さくすることができ、コンパクトで省スペースを実現することができる。
【図面の簡単な説明】
【０００８】
【図１】本発明の実施の形態１における大型電子部品収納ボックスを搭載した除湿機の内部を示す斜視図である。
【図２】実施の形態１における大型電子部品収納ボックスの斜視図である。
【図３】大型電子部品収納ボックス内部の一部分を示す平面図である。
【図４】大型電子部品収納ボックスの側面図である。
【図５】図３のＡ−Ａ断面側面図である。
【図６】大型電子部品収納ボックスの背面図である。
【図７】コンデンサーを保持したホルダーの斜視図である。
【図８】ホルダーを後方側から見た斜視図である。
【図９】プリント基板の斜視図である。
【図１０】延焼防止用カバーで大型電子部品収納ボックスを覆った状態を示す斜視図である。
【図１１】図１０の側面図である。
【図１２】図１１のＢ−Ｂ断面図である。
【図１３】図１１のＣ−Ｃ断面図である。
【発明を実施するための形態】
【０００９】
実施の形態１．
図１は、本発明の実施の形態１における大型電子部品収納ボックス１０を搭載した除湿機１００の内部を示す斜視図で、除湿機本体１０１より前面パネル１１０を取り外した状態を示している。
図１に示すように、本実施の形態における大型電子部品収納ボックス１０は、除湿機１００の本体内の下部に設置されている。また、大型電子部品収納ボックス１０は板金製の延焼防止用ケース５０内に収納されている。なお図１において、１０２は送風ファン、１０３は吹き出しグリル、１０４は液晶パネル等からなる操作部兼表示部、１０５は引き出し式のドレン水タンクである。また、図示しない圧縮機、凝縮器、蒸発器等からなる冷凍サイクル装置は除湿機本体１０１内部の背面側部分に配設されている。
【００１０】
図２は大型電子部品収納ボックス１０の斜視図、図３は大型電子部品収納ボックス１０内部の一部分を示す平面図、図４は大型電子部品収納ボックス１０の側面図、図５は図３のＡ−Ａ断面側面図、図６は大型電子部品収納ボックス１０の背面図である。また、図７はコンデンサー３０を保持したホルダー３１の斜視図、図８はホルダー３１を後方側から見た斜視図、図９はプリント基板２０の斜視図である。
【００１１】
大型電子部品収納ボックス１０は、下ケース１１部分は全体的に略長方体形状で、上ケース１２部分の中央部から後端部にかけて略直角台形状に隆起した凸部１３を有する形状に形成されている。この略直角台形状の凸部１３が、後述するコンデンサー等の大型電子部品を保持するホルダーが配置された部分を覆っている。この大型電子部品収納ボックス１０の外形形状はそれが配置される除湿機本体１０１の下部隅部の設置スペースに合わせてある。
【００１２】
大型電子部品収納ボックス１０は、ＡＢＳ樹脂等により形成された、下ケース１１と、下ケース１１の蓋である上ケース１２とを有する。下ケース１１内には複数の支持リブ１４が設けられており、この支持リブ１４上にプリント基板２０が取り付けられている。また、プリント基板２０の外形に略合致するように下ケース１１の内側面の輪郭形状が形成されている。つまり、下ケース１１の内部スペースはほぼプリント基板２０の大きさで占められる。
【００１３】
大型電子部品であるコンデンサー３０は、ホルダー３１に収納されている。ホルダー３１は、コンデンサー３０の収納部（電子部品収納部）３２と、プリント基板２０を跨いで下ケース１１上に支持される２本の支持脚３３、３３とを有する。支持脚３３、３３は下ケース１１とプリント基板２０との間に差し込まれて支持されるようになっている。このため、コンデンサー３０の重量負荷がプリント基板２０にかからないので、落下や転倒時の衝撃を軽減することができる。
【００１４】
また、図３に示すように、１つのネジ２５でプリント基板２０を下ケース１１に固定することにより、ホルダー３１の支持脚３３、３３が固定される。すなわち、プリント基板２０とホルダー３１のネジ取付部３４とを１つのネジ２５の共締めで固定する構造となっている。このように構成することで、プリント基板２０およびホルダー３１の固定が容易かつ確実にできる。
【００１５】
ホルダー３１の電子部品収納部３２は、本例では２つ設けられているが、１つでもよいし、２つ以上でもよい。前側のコンデンサー３０ａは、先端裏側に設けられた爪３５により前側コンデンサー３０ａの前面中央部を係止して抜けだしを防止している。後ろ側コンデンサー３０ｂは別基板２１の裏側に一体的に装着されており、後ろ側の電子部品収納部３１に収納され、別基板２１の上面部を前後２つの爪３６で係止し抜け出しを防止している。前側コンデンサー３０ａと後ろ側コンデンサー３０ｂは、それぞれリード線４１、４２が接続され、それぞれコネクター４３、４４を介してプリント基板２０に接続されている。
また、ホルダー３１はハーネス固定部３７、３８が形成されており、後ろ側コンデンサー３０ｂのリード線４２をハーネス固定部３７、３８に掛け回してバタツキを防ぐ構成となっている。
【００１６】
次に、延焼防止用カバー５０について説明する。図１０は延焼防止用カバー５０で大型電子部品収納ボックス１０を覆った状態を示す斜視図、図１１は図１０の側面図、図１２は図１１のＢ−Ｂ断面図、図１３は図１１のＣ−Ｃ断面図である。
【００１７】
延焼防止用カバー５０は、薄鋼板（例えば、溶融亜鉛メッキ鋼板）の板金加工により作られており、電子部品収納ボックス１０を一方の側面開口部から挿入して全体をカバーするようになっている。したがって、延焼防止用カバー５０は、一方の側面が開口されたカバー本体５１と、その開口を塞ぐカバー側面板５２とから構成されている。
この構成により、延焼を内部にとどめて他に及ぶことはないので安全である。
【００１８】
本実施の形態の大型電子部品収納ボックス１０は、上記のように構成されているので、以下に示すような効果がある。
【００１９】
（１）大型電子部品のコンデンサー３０はホルダー３１に収納され、ホルダー３１の支持脚３３、３３を下ケース１１にて支えているので、コンデンサー３０の重量負荷はプリント基板２０にかからない。そのため、落下や転倒時の衝撃を軽減でき、プリント基板２０や半田付部の損傷を抑制することができる。
【００２０】
（２）ホルダー３１は、プリント基板２０と分離してコンデンサー３０を保持するものであるため、プリント基板２０を小さくすることができ、コンパクト化、省スペース化が可能である。また、省スペースのため、コンデンサー３０のリード線４１、４２の長さを短くすることができる。
【００２１】
（３）ホルダー３１は、プリント基板２０と共に下ケース１１に少なくとも１つのネジ２５で共締めすることにより固定されるので、プリント基板２０およびホルダー３１の固定が簡単かつ確実にできる。
【００２２】
（４）ホルダー３１にはハーネス固定部３７、３８が設けられ、ハーネス固定部３７、３８で後ろ側コンデンサー３０ｂの比較的長い方のリード線４２を固定しているので、リード線４２のバタツキを抑制することができる。
【００２３】
（５）大型電子部品収納ボックス１０の全体を板金製の延焼防止用カバー５０で覆っているため、延焼が他に及ぶことがない。
【００２４】
（６）後ろ側コンデンサー３０ｂのようにプリント基板２０とは別の基板２１が取り付けられる場合は、ホルダー３１はコンデンサー３０ｂを収納し保持することにより、別基板２１を押さえつけないようにしている。このように構成することにより、別基板２１やその半田付部に余計な荷重が作用することがない。
【００２５】
（７）ホルダー３１は、コンデンサー３０ａおよび別基板２１付きコンデンサー３０ｂを弾性的に係止する爪３５、３６を有するため、これらのコンデンサーを脱落することなく確実に保持することができる。
【００２６】
（８）上ケース１２を下ケース１１の外側に被さるように嵌合することにより、水の侵入を防止することができる。
【００２７】
（９）この大型電子部品収納ボックス１０は、除湿機１００の下部など低い位置に設置されているので、転倒時の衝撃を緩和することができる。
【００２８】
実施の形態２．
本実施の形態では、上ケース１２の凸部１３内にコンデンサー３０の保持部（不図示）を設けるものである。
このように構成することによっても、コンデンサー３０の重量負荷がプリント基板２０にかからないので、衝撃によるプリント基板２０や半田付け部の損傷を抑制することができる。また、コンパクト化、省スペース化も実現できる。
【００２９】
実施の形態３．
図示は省略するが、本実施の形態では下ケース１１の底部に凹部を形成し、この凹部をコンデンサー３０の保持部とするものである。
この構成によっても、実施の形態２と同様な効果がある。
【産業上の利用可能性】
【００３０】
以上に説明した本発明の大型電子部品収納ボックスは、除湿機に限らず、洗濯機や冷蔵庫、洗濯乾燥機、空気清浄機、空調機などの家電製品に活用することができる。
【符号の説明】
【００３１】
１０  大型電子部品収納ボックス、１１  下ケース、１２  上ケース、１３  凸部、１４  支持リブ、２０  プリント基板、２１  別基板、２５  ネジ、３０  コンデンサー、３１  ホルダー、３２  電子部品収納部、３３  支持脚、３４  ネジ取付部、３５、３６  爪、３７、３８  ハーネス固定部、４１、４２  リード線、４３、４４  コネクター、５０  延焼防止用カバー、５１  カバー本体、５２  カバー側面板、１００  除湿機、１０１  除湿機本体、１０２  送風ファン、１０３  吹き出しグリル、１０４  操作部兼表示部、１０５  ドレン水タンク、１１０  前面パネル。
【図１】
0005452298.tif 000002
【図２】
0005452298.tif 000003
【図３】
0005452298.tif 000004
【図４】
0005452298.tif 000005
【図５】
0005452298.tif 000006
【図６】
0005452298.tif 000007
【図７】
0005452298.tif 000008
【図８】
0005452298.tif 000009
【図９】
0005452298.tif 000010
【図１０】
0005452298.tif 000011
【図１１】
0005452298.tif 000012
【図１２】
0005452298.tif 000013
【図１３】
0005452298.tif 000014